(57)【要約】【課題】構造が簡易であり、腕部の延出角度の調整を栽培ベッドの構造に係わりなく容易、かつ確実に行える果実支持体用の支持具を提供する。【解決手段】取り付け部材２は、取り付け部５、軸受け部６を具備し、取り付け部５で金属管材３２に固定される。軸受け部６は、軸挿通孔７と、その周りの垂直の係合面８を具備する。腕部材３は、軸受け部６と対向する軸部９を具備し、軸筒部１２が軸挿通孔７に相対回転及び軸方向相対移動自在に嵌合する。軸筒部１２周りに係合面１１を有する。腕部材３は、上面に果実支持体３４を支持する。係脱操作部材４は、ばね受け部材１４と、ばね１３とを具備する。取り付け部材２側からばね受け部材１４をばね力に抗して押し込んで、係合歯８ａ，１１ａの相互係合を解いた状態で、取り付け部材２に対する腕部材３の延出角度を調整することができる。【選択図】図１
2018000160.tif 000002
【特許請求の範囲】
【請求項１】
金属管材を組んで形成される架台上に設けられる栽培ベッドで栽培され、当該栽培ベッドの側方へ成長して垂れ下がる果実を、下方から支持するための果実支持体を、当該栽培ベッドの側部に支持するための支持具であって、
前記金属管材に固定される取り付け部材と、基端側において当該取り付け部材に枢軸周りに角度調整自在に枢支され栽培ベッドの側方へ延出して上面に前記果実支持体を支持する腕部材と、当該腕部材と前記取り付け部材との枢軸周りの相対回転を拘束又は許容する係脱操作部材と具備し、
前記取り付け部材は、前記金属管材への取り付け部と、軸受け部とを具備し、
前記腕部材は、前記取り付け部材の軸受け部と水平方向に対向する軸部と、当該軸部から延出する腕部とを具備し、
前記取り付け部材の軸受け部は、水平方向の軸挿通孔と、当該軸挿通孔の周りに形成される垂直の係合面とを具備し、
前記腕部材の軸部は、前記取り付け部材の軸挿通孔に軸周り相対回転及び軸方向相対移動自在に嵌合する軸筒部と、当該軸筒部の周りに形成され前記取り付け部材の垂直係合面に対面する垂直係合面とを具備し、
前記係脱操作部材は、前記軸筒部の先端側に固着されるばね受け部材と、当該ばね受け部材と前記軸受け部との間に介設され当該軸受け部の垂直係合面と前記軸部の垂直係合面とを接合させる方向に付勢するばねとを具備し、
前記取り付け部材及び前記腕部材の垂直係合面は、それぞれ相互の枢軸周りの所定の相互回転角度毎に軸方向に係脱する複数の係合歯を具備し、
前記取り付け部材側から前記ばね受け部材をばね力に抗して押し込んで、前記係合歯の相互係合を解いた状態で、前記取り付け部材に対する前記腕部材の延出角度を調整自在に構成されることを特徴とする果実支持体用支持具。
【請求項２】
前記取り付け部材の取り付け部は、垂直に配置される前記金属管材の上端に差し込んで前記架台に固定するように前記軸受け部から垂直下方へ延出する差し込み脚部と、水平に配置される前記金属管材を把持して前記架台に固定するように  前記軸受け部の側部に形成される把持部とを具備し、
前記差し込み脚部又は前記把持部のいずれかにより前記架台に固定可能に構成されることを特徴とする請求項１に記載の果実支持体用支持具。
【請求項３】
前記架台を構成する垂直の金属管材を把持する管把持部と、把持状態における当該管把持部から水平に突出する円柱状接続突部とを具備する付加取り付け部材をさらに具備し、
前記取り付け部材の把持部は、前記付加取り付け部材の円柱状接続突部を把持可能に構成されることを特徴とする請求項２に記載の果実支持体用支持具。
【発明の詳細な説明】
【技術分野】
【０００１】
本発明は、架台上に設けられる栽培ベッドで栽培されるイチゴなどの植物の結果枝が、栽培ベッドから垂れ下がらないように設けられる果実支持体を、栽培ベッドの側部に支持するための支持具に関する。
【背景技術】
【０００２】
従来、架台上に設けられる栽培ベッドでイチゴなどの植物を栽培する高設栽培と称される栽培方法が知られている。高設栽培においては、結果枝が成長することにより栽培ベッドの側方へ垂れ下がる果実を、下方から支持して保護するためのネットやワイヤのような果実支持体が、栽培ベッドの側部に沿って敷設される。
この果実支持体を支持するための器具として、特許文献１に記載されたものが知られている。この器具は、全体が略Ｌ字型で、その一辺の基端部が架台へ取り付けられる取り付け部であり、他辺が果実支持体を上面で支持する緩やかな湾曲状の支持腕である。支持腕の両端部に、ピンを脱着するためのピン穴を備える。ピン穴にピンを差し止めて、張り渡された果実支持体を固定する。シートやネット等の果実支持体を破損無く、簡便且つ低コストで支持し、張り直し、張り具合の再調整を可能とする。
特許文献２には、栽培ベッドの側部に張設される玉乗せシートやネット、ワイヤ類を支持する玉受支持部材が記載されている。玉受支持部材は、湾曲膨出した上面と平坦な下面とを備えた断面下弦月形状の玉受部を備え、この玉受部の基端部に栽培ベッド支持部材に回動可能に取り付けできる取付把持部を備える。下面の中間部から斜め下方へ長さ調整可能な支持腕部が突出する（図８参照）。支持腕部は、腕本体内に伸縮腕をスライド可能に嵌合して構成され、伸縮させることにより、玉受支持部材の傾斜角度を適宜調整する。日照角度や果実の成長度に合わせて玉受部の傾斜角度を調整し、果実の生育を促進させる。
【先行技術文献】
【特許文献】
【０００３】
【特許文献１】特開２００５−２８７３５５号公報
【特許文献２】特開２００３−１１１５２２号公報
【発明の概要】
【発明が解決しようとする課題】
【０００４】
特許文献２において、玉受支持部材を角度調整するための支持腕は、その先端を栽培ベッドのいずれかの部位に当接させる必要がある。ところが、栽培ベッドの構造は多種多様で、支持腕の先端を当接させる部位がない場合があるから、その適用範囲は限られる。
したがって、発明は、ネットやワイヤなどの果実支持体を支持するための支持具であって、小型で、構造が簡易であり、その延出角度の調整を栽培ベッドの構造に係わりなく容易、かつ確実に行えるものを提供することを目的としている。
【課題を解決するための手段】
【０００５】
以下、添付図面の符号を参照して説明するが、本発明はこれに限定されるものではない。
上記課題を解決するための、本発明の支持具１は、金属管材３２を組んで形成される架台３１上に設けられる栽培ベッド３３に適用される果実支持体３４を、当該栽培ベッド３３の側部に支持するもので、取り付け部材２と、腕部材３と、係脱操作部材４とを具備する。取り付け部材２は、取り付け部５と軸受け部６とを具備し、取り付け部５において金属管材３２に固定される。腕部材３は、基端側において取り付け部材２に枢軸周りに角度調整自在に枢支され、栽培ベッド３３の側方へ延出して上面に果実支持体３４を支持する。腕部材３は、取り付け部材２の軸受け部６と水平方向に対向する軸部９と、当該軸受け部６から延出する腕部１０とを具備する。取り付け部材２の軸受け部６は、水平方向の軸挿通孔７と、当該軸挿通孔７の周りに形成される垂直の係合面８とを具備する。腕部材３の軸部９は、軸挿通孔７に軸周り相対回転及び軸方向相対移動自在に嵌合する軸筒部１２と、当該軸筒部１２の周りに形成され取り付け部材２の垂直係合面８に対面する垂直係合面１１とを具備する。係脱操作部材４は、軸筒部１２の先端側に固着されるばね受け部材１４と、当該ばね受け部材１４と軸受け部６との間に介設されるばね１３とを具備する。ばね１３は、軸受け部６の垂直係合面８と軸部９の垂直係合面１１とを接合させる方向に取り付け部材２と腕部材３とを付勢する。取り付け部材２及び腕部材３の垂直係合面８，１１は、それぞれ相互の枢軸周りの所定の相互回転角度毎に軸方向に係脱する複数の係合歯８ａ，１１ａを具備する。取り付け部材２側からばね受け部材１４をばね力に抗して押し込んで、係合歯８ａ，１１ａの相互係合を解いた状態で、取り付け部材２に対する腕部材３の延出角度を調整することができる。
【発明の効果】
【０００６】
本発明の支持具１は、取り付け部材２側からばね受け部材１４をばね力に抗して押し込みつつ、取り付け部材２に対して腕部材３を回転させることで、容易に腕部材３の延出角度を調整できる。腕部材３は、取り付け部材２に支持され、他に栽培ベッド３３等に支持する必要がない。したがって、支持具１は、栽培ベッド３３の構造にかかわらず、広範な高設栽培構造に適用可能である。
【図面の簡単な説明】
【０００７】
【図１】本発明に係る支持具の分解斜視図である。
【図２】図１の支持具の正面図である。
【図３】図１の支持具の断面図である。
【図４】図１の支持具の使用例を示す正面図である。
【図５】図１の支持具の他の使用例を示す正面図である。
【図６】本発明の支持具の他の実施形態を示す分解斜視図である。
【図７】図６の支持具の使用例を示す正面図である。
【発明を実施するための形態】
【０００８】
図面を参照して本発明の実施の形態を説明する。
図４、図５に高設栽培構造の一例を示す。金属管材３２を組んで形成される架台３１上に、イチゴ等の植物Ｐが栽培される栽培ベッド３３が支持される。架台３１及び栽培ベッド３３の具体的構造は、図示のものの他に種々存在する。栽培ベッド３３の上部には、側方へ延出するように、果実支持体３４が敷設される。図示する果実支持体３４は、ネット状のものであるが、栽培ベッドの側部に沿って張設される複数の支持ワイヤからなるものも存在する。果実支持体３４は、結果枝Ｐ１が成長することにより栽培ベッド３３の側方へ垂れ下がる果実Ｐ２を、下方から支持して保護する。
【０００９】
支持具１は、果実支持体３４を栽培ベッド３３の側部に支持するもので、取り付け部材２、腕部材３、係脱操作部材部材４を具備する。
【００１０】
取り付け部材２は、合成樹脂製で、架台３１を構成する金属管材３２に固定される。
【００１１】
腕部材３は、同様の合成樹脂製で、図1に示すように、基端側において取り付け部材２に、垂直面に沿って回転自在に枢支される。腕部材３は、栽培ベッド３３の側方へ延出し、上面に果実支持体３４(図４，５)を支持する。
【００１２】
係脱操作部材部材４は、腕部材３と取り付け部材３とを相互係合させて拘束するが、操作時に相互係合を解いて相対回転を可能とする。
【００１３】
図１において、取り付け部材２は、金属管材３２への取り付け部５と、軸受け部６と具備する。取り付け部５は、差し込み脚部５ａと把持部５ｂとを具備する。差し込み脚部５ａは、図４に示すように、架台３１を構成する垂直の金属管材３２ａの上端へ嵌合させて固定される。把持部５ｂは、図５に示すように、架台３１を構成する水平の金属管材３２ｂを把持して固定される。取り付け部５は、上端に開口する垂直の金属管材３２ａか、水平の金属管材３２ｂのいずれかを有する架台構造に適用できるようになっている。差し込み脚部５ａは、軸受け部６から一体に垂直下方へ延出する。把持部５ｂは、切欠円筒状で、軸受け部６の側部に張り出すように一体に形成される。
【００１４】
取り付け部材２の軸受け部６は、水平方向の軸挿通孔７と、当該軸挿通孔７の周りに形成される垂直の係合面８とを具備する。軸挿通孔７は段付き孔である。係合面８は、軸挿通孔７の周りに放射状に形成される複数の係合歯８ａを具備する。
【００１５】
腕部材３は、取り付け部材２の軸受け部６と水平方向に対向する軸部９と、当該軸部９から延出する腕部１０とを具備する。腕部１０の上面には、果実支持体であるネット３４や、ワイヤを係止するための複数の係止突起１０ａが形成される。軸部９は、取り付け部材２の垂直係合面８に対面する垂直係合面１１と、垂直係合面１１の中心から水平に突出する軸筒１２を具備する。軸筒１２は、軸挿通孔７の小径部に軸周り回転自在、軸方向に摺動自在に嵌合する。
【００１６】
係脱操作部材部材４は、ばね１３とばね受け部材１４とを具備する。図３に示すように、ばね１３は、軸挿通孔７に嵌合された軸筒１２の外周と軸挿通孔７の内周との間にはめ込まれ、一端が軸挿通孔７の段部に係止され、他端がばね受け部材１４に係止される。ばね受け部材１４は、ばね１３に当接するワッシャ１４ａと、ワッシャ１４を介して軸筒１２に螺合固定されるボルト１４ｂとを具備する。したがって、ばね１３は、軸受け部６の垂直係合面８と軸部９の垂直係合面１１とを接合させ、係合歯８ａ、１１ａを係合させる方向に、取り付け部材２と腕部材３とを付勢する。
【００１７】
取り付け部材２側から、ばね受け部材１４をばね力に抗して指で押し込むと、ばね受け部材１４と共に腕部材３が取り付け部材２から離れる方向に押され、係合歯８ａ、１１ａの相互係合が解かれる。この状態で、腕部材３を回転させて、取り付け部材２に対する腕部材３の延出角度を調整する。腕部材３を所望の延出角度に配置して、ばね受け部材１４から指を離せば、ばね力で、ばね受け部材１４と腕部材３とが突き合わされ、係合歯８ａ、１１ａが係合し、腕部材３は、取り付け部材２に固定される。
【００１８】
図６，７に示す他の実施形態においては、付加取り付け部材１５をさらに具備する。付加取り付け部材１５は、架台３１を構成する垂直の金属管材３２を把持する管把持部１６と、把持状態において管把持部１６から水平に突出する円柱状の接続突部１７とを具備する。取り付け部材２の把持部５ｂは、付加取り付け部材１５の円柱状接続突部１７を把持可能に構成される。
【００１９】
支持具１が、付加取り付け部材１５をさらに具備すれば、例えば上端に開口を有しない垂直の金属管材３２の適宜高さ位置に装着して使用することができる。
【符号の説明】
【００２０】
１      支持具
２      取り付け部材
３      腕部材
４      係脱操作部材
５      取り付け部
６      軸受け部
７      軸挿通孔
８      係合面
８ａ    係合歯
９      軸部
１０    腕部
１１    係合面
１１ａ  係合歯
１２    軸筒
１３    ばね
１４    ばね受け部材
１４ａ  ワッシャ
１４ｂ  ボルト
１５    付加取り付け部材
１６    管把持部
１７    円柱状接続突起
３１    架台
３２    金属管材
３３    栽培ベッド
３４    果実支持体
Ｐ      植物
Ｐ１    結果枝
Ｐ２    果実
【図１】
2018000160.tif 000003
【図２】
2018000160.tif 000004
【図３】
2018000160.tif 000005
【図４】
2018000160.tif 000006
【図５】
2018000160.tif 000007
【図６】
2018000160.tif 000008
【図７】
2018000160.tif 000009
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
金属管材を組んで形成される架台上に設けられる栽培ベッドで栽培され、当該栽培ベッドの側方へ成長して垂れ下がる果実を、下方から支持するための果実支持体を、当該栽培ベッドの側部に支持するための支持具であって、
前記金属管材に固定される取り付け部材と、基端側において当該取り付け部材に枢軸周りに角度調整自在に枢支され栽培ベッドの側方へ延出して上面に前記果実支持体を支持する腕部材と、当該腕部材と前記取り付け部材との枢軸周りの相対回転を拘束又は許容する係脱操作部材と具備し、
前記取り付け部材は、前記金属管材への取り付け部と、軸受け部とを具備し、
前記腕部材は、前記取り付け部材の軸受け部と水平方向に対向する軸部と、当該軸部から延出する腕部とを具備し、
前記取り付け部材の軸受け部は、水平方向の軸挿通孔と、当該軸挿通孔の周りに形成される垂直の係合面とを具備し、
前記腕部材の軸部は、前記取り付け部材の軸挿通孔に軸周り相対回転及び軸方向相対移動自在に嵌合する軸筒部と、当該軸筒部の周りに形成され前記取り付け部材の垂直係合面に対面する垂直係合面とを具備し、
前記係脱操作部材は、前記軸筒部の先端側に固着されるばね受け部材と、当該ばね受け部材と前記軸受け部との間に介設されるように、一端が軸挿通孔の内側に突出した段部に係止され、他端がばね受け部材に係止され、当該軸受け部の垂直係合面と前記軸部の垂直係合面とを接合させる方向に付勢するばねとを具備し、
前記取り付け部材及び前記腕部材の垂直係合面は、それぞれ相互の枢軸周りの所定の相互回転角度毎に軸方向に係脱する複数の係合歯を具備し、
前記取り付け部材側から前記ばね受け部材をばね力に抗して押し込んで、前記係合歯の相互係合を解いた状態で、前記取り付け部材に対する前記腕部材の延出角度を調整自在に構成されることを特徴とする果実支持体用支持具。
【請求項２】
前記取り付け部材の取り付け部は、垂直に配置される前記金属管材の上端に差し込んで前記架台に固定するように前記軸受け部から垂直下方へ延出する差し込み脚部と、水平に配置される前記金属管材を把持して前記架台に固定するように  前記軸受け部の側部に形成される把持部とを具備し、
前記差し込み脚部又は前記把持部のいずれかにより前記架台に固定可能に構成されることを特徴とする請求項１に記載の果実支持体用支持具。
【請求項３】
前記架台を構成する垂直の金属管材を把持する管把持部と、把持状態における当該管把持部から水平に突出する円柱状接続突部とを具備する付加取り付け部材をさらに具備し、
前記取り付け部材の把持部は、前記付加取り付け部材の円柱状接続突部を把持可能に構成されることを特徴とする請求項２に記載の果実支持体用支持具。